(57)【特許請求の範囲】
【請求項１】
１種もしくはそれ以上のスピノシン類(spinosyns)を植物の周囲の土壌又は植物の種子に施用することを特徴とする、メラノプルス・ジフエレンチアリス(Ｍelanoplus  differentialis)、シストセルカ・グレガリア(Ｓchistocerca  gregaria)、ホルフイキユラ・アウリクラリア(Ｆorficula  auricularia)、レチキユリテルメス種(Ｒeticulitermes  spp.)、フイロクセラ・バスタトリクス(Ｐhylloxera  vastatrix)、ペンフイグス種(Ｐemphigus  spp.)、ケモノハジラミ種(Ｔrichodectes  spp.)、ダマリネア種（Ｄamalinea  spp.）フランクリニエラ・オクシデンタリス(Ｆrankliniella  occidentalis)、クリバネアザミウマ(Ｈercinothrips  femoralis)、スリップス・パルミ(Ｔhrips  palmi)、ネギアザミウマ(Ｔhrips  tabaci)、チヤイロカメムシ種(Ｅurygaster  spp.)、ジスデルクス・インテルメジウス(Ｄysdercus  intermedius)、ピエスマ・クワドラタ(Ｐiesma  quadrata)、ロドニウス・プロリクス(Ｒhodnius  prolixus)、トリアトマ種(Ｔriatoma  spp.)、アレウロデス・ブラシカエ(Ａleurodes  brassicae)、ワタコナジラミ(Ｂemisia  tabaci)、トリアレウロデス・バポラリオルム(Ｔrialeurodes  vaporariorum)、ワタアブラムシ(Ａphis  gossypii)、ダイコンアブラムシ(Ｂrevicoryne  brassicae)、クリプトミズス・リビス(Ｃryptomyzus  ribis)、リンゴワタムシ(Ｅriosoma  lanigerum)、モモコフキアブラムシ(Ｈyalopterus  arundinis)、ムギヒゲナガアブラムシ(Ｍacrosiphum  avenae)、ホツプイボアブラムシ(Ｐhorodon  humuli)、ムギクビレアブラムシ(Ｒhopalosiphum  padi)、ヒメヨコバイ種(Ｅmpoasca  spp.)、ユースセリス・ビロバツス(Ｅuscelis  bilobatus)、ツマグロヨコバイ(Ｎephotettix  cincticeps)、ミズキカタカイガラムシ(Ｌecanium  corni)、オリーブカタカイガラムシ(Ｓaissetia  oleae)、ヒメトビウンカ(Ｌaodelphax  striatellus)、トビイロウンカ(Ｎilaparvata  lugens)、アカマルカイガラムシ(Ａonidiella  aurantii)、シロマルカイガラムシ(Ａspidiotus  hederae)、シユードコツカス種(Ｐseudococcus  spp.)、キジラミ種(Ｐsylla  spp.)、ワタアカミムシ(Ｐectinophora  gossypiella)、ブパルス・ピニアリウス(Ｂupalus  piniarius)、ケイマトビア・ブルマタ(Ｃheimatobia  brumata)、リソコレチス・ブランカルデラ(Ｌithocolletis  blancardella)、ヒポノミユウタ・パデラ(Ｈyponomeuta  padella)、コナガ(Ｐlutella  maculipennis)、ウメケムシ(Ｍalacosoma  neustria)、クワノキンムケシ(Ｅuproctis  chrysorrhoea)、マイマイガ種(Ｌymantria  spp.)、ブツカラトリツクス・スルベリエラ(Ｂucculatrix  thurberiella)、ミカンハモグリガ(Ｐhyllocnistis  citrella)、エアリアス・インスラナ(Ｅarias  insulana)、ヘリオチス種(Ｈeliothis  spp.)、シロイチモジヨトウ(Spodoptera  exigua)、ヨトウムシ(Ｍamestra  brassicae)、パノリス・フラメア(Ｐanolis  flammea)、ハスモンヨトウ(Ｐrodenia  litura)、トリコプルシア・ニ(Ｔrichoplusia  ni)、カルポカプサ・ポモネラ(Ｃarpocapsa  pomonella)、アオムシ種(Ｐieris  spp.)、ニカメイチユウ種(Ｃhilo  spp.)、アワノメイガ(Ｐyrausta  nubilalis)、カコエシア・ポダナ(Ｃacoecia  podana)、カプア・レチクラナ(Ｃapua  reticulana)、コリストネウラ・フミフエラナ(Ｃhoristoneura  fumiferana)、クリシア・アンビグエラ(Ｃlysia  ambiguella)、チヤハマキ(Ｈomona  magnanima)、トルトリクス・ビリダナ(Ｔortrix  viridana)、フェドン・コクレアリアエ(Ｐhaedon  cochleariae)、プシリオデス・クリソセフアラ(Ｐsylliodes  chrysocephala)、ニジユウヤホシテントウ(Ｅpilachna  varivestis)、ハナゾウムシ種(Ａnthonomus  spp.)、バシヨウゾウムシ(Ｃosmopolites  sordidus)、シユートリン���ス・アシミリス(Ｃeuthorrhynchus  assimilis)、ヒペラ・ポスチカ(Ｈypera  postica)、メリゲテス・アエネウス(Ｍeligethes  aeneus)、マツハバチ種(Ｄiprion  spp.)、ホプロカムパ種(Ｈoplocampa  spp.)、オスシネラ・フリト(Ｏscinella  frit)、アカザモグリハナバエ(Ｐegomyia  hyoscyami)、セラチチス・キヤピタータ(Ｃeratitis  capitata)、ダカス・オレアエ(Ｄacus  oleae)、クローバハダニ(Ｂryobia  praetiosa)、ミカンリンゴハダニ種(Ｐanonychus  spp.)及びナミハダニ種(Ｔetranychus  spp.)よりなる群から選ばれる、植物の地上部分を攻撃する動物性有害生物の抑制方法。
【請求項２】
１種もしくはそれ以上のスピノシン類を植物の周囲の土壌に施用することを特徴とする請求項１に記載の方法。
【請求項３】
１種もしくはそれ以上のスピノシン類を植物の種子に施用することを特徴とする請求項１に記載の方法。
【請求項４】
スピノシンとしてスピノサドを使用する請求項１又は２に記載の方法。
【発明の詳細な説明】
本発明は、特に土壌を処理するための、種子または植物増殖物質(plant propagation material)を処理するための、および植物をドレンチング(drenching)しそして灌注するための、スピノシン類(spinosyns)の使用に関する。
【０００１】
昆虫を抑制するためにスピノシン類を使用できることは既知である（ＷＯ ９７／００ ２６５、ＷＯ ９３／０９ １２６、ＷＯ ９４／２０ ５１８、ＵＳ−５ ３６２ ６３４）。
【０００２】
スピノシン類が全身的特性を有すること並びに土壌を介するまたは植物灌注を介する適用が可能であることが今回見いだされた。それらはまた種子および植物増殖物質を処理するために使用することもできる。
【０００３】
スピノシン類は既知の化合物である。ＵＳ−５ ３６２ ６３４（Ａ ８３５４３）に記載された発酵生成物はスピノシンＡ、Ｂ、Ｃなどと称される種々の化合物から構成される（ＷＯ ９７／００ ２６５、ＷＯ ９３／０９ １２６およびＷＯ ９４／２０ ５１８参照）。スピノシン類は下記の式（Ｉ）および（II）により表すことができる：
【０００４】
【化１】
0004846098.tif 000002
【０００５】
【表１】
0004846098.tif 000003
【０００６】
【表２】
0004846098.tif 000004
【０００７】
【表３】
0004846098.tif 000005
【０００８】
および
【０００９】
【化２】
0004846098.tif 000006
【００１０】
【表４】
0004846098.tif 000007
【００１１】
式（Ｉａ）
【００１２】
【化３】
0004846098.tif 000008
【００１３】
（ＷＯ ９７／００ ２６５）
［式中、
ＡおよびＢは各々単結合、二重結合またはエポキシド単位を表し、
Ｒは
【００１４】
【化４】
0004846098.tif 000009
【００１５】
またはＲ8′−Ｏを表し、
Ｒ1は水素またはメチルを表し、
Ｒ2、Ｒ3およびＲ4は互いに独立してＣ1−Ｃ4−アルキル、Ｃ1−Ｃ4−ハロゲノアルキル、Ｃ1−Ｃ4−アルキルカルボニルまたは保護されたヒドロキシルを表し、
Ｒ5は水素、Ｃ1−Ｃ4−アルキル、Ｃ1−Ｃ4−アルキルアミノを表すか、或いは式
【００１６】
【化５】
0004846098.tif 000010
【００１７】
のアルキルヒドロキシアミノを表し、
ここで
Ｒ10およびＲ11は互いに独立して水素、Ｃ1−Ｃ4−アルキルまたはＣ1−Ｃ5−アルキルカルボニルを表し、
Ｒ6は水素またはメチルを表し、
Ｒ7、Ｒ8およびＲ8′は互いに独立してＣ1−Ｃ4−アルキル、Ｃ1−Ｃ4−ハロゲノアルキルまたはＣ1−Ｃ4−アルキルカルボニルを表すか、或いは保護されたアミノを表し、そして
Ｒ9はメチルまたはエチルを表す］
の半合成スピノシン類もまた開示されている。
【００１８】
ここで使用される「スピノシン」という用語はＷＯ ９７／００ ２６５に開示されている化合物を包括する。
【００１９】
個々のスピノシン類、並びに式（Ｉ）、（Ｉａ）および（II）の上記のスピノシン類の混合物を本発明に従い使用することができる。
【００２０】
式（Ｉ）または（II）の少なくとも１種のスピノシンを含んでなる混合物が好ましく使用される。
【００２１】
スピノシンＡおよびスピノシンＤの混合物を含んでなり、スピノシンＡ対スピノシンＤの比が一般的に約８０：２０〜約９８：２の間であり、約８５：１５の値が好ましいような混合物が好ましく使用される。本質的にスピノシンＡおよびスピノシンＤの約８５：１５の比の混合物を含んでなるスピノサド(Spinosad)（例えば、DowElanco trade magazine Down to Earth, Vol. 52, No. 1, 1997 およびそこに引用された文献を参照のこと）が特に好ましく使用される。
【００２２】
特に、約８５〜９０％のスピノシンＡ、約１０〜１５％のスピノシンＤ並びに少量のスピノシンＢ、Ｃ、Ｅ、Ｆ、Ｇ、ＨおよびＪを含んでなりそしてＵＳ−５ ３６２ ６３４に開示されている発酵生成物Ａ８３５４３が使用される。
【００２３】
ここに記載されている酸付加塩を使用してもよい。
【００２４】
下記のタイプの種子および植物増殖物質が本発明に従い好ましく処理される：トウモロコシ、穀類（例えば、小麦、大麦、カラスムギ、ライムギ）、イネ、種ポテト、ワタ、油料種子アブラナ(oilseed rape)、ヒマワリ、ビート（例えば、サトウダイコン）、野菜種子（例えば、タマネギ、キャベツ、トマト）、（家畜用）豆類、ピーナッツ、ダイズ、モロコシ。
【００２５】
種子処理、または植物増殖物質処理を、本発明に従い行うためには下記の一般的な処理方法が好適である：
乾燥処理（好ましくは付着促進剤、例えば、液体パラフィンまたはタルク、および、適宜、着色剤の添加）、
スラリー処理（好ましくは湿潤剤、分散剤、乳化剤、接着剤、不活性充填剤および着色剤の添加）、
水性液体処理（好ましくは乳化剤、分散剤、濃稠化剤、凍結防止剤、重合体、接着剤および着色剤の添加）、
溶媒を基にした液体処理（溶媒および着色剤の添加）、
乳化処理（乳化剤、溶媒および着色剤の添加）。
【００２６】
スピノシン処理調合物中の合計活性化合物含有量は好ましくは１０〜８０重量％の量になる。
【００２７】
好ましくは、１００ｋｇの処理形態の種子または植物増殖物質当たり１〜３００ｇの活性化合物が適用される。
【００２８】
本発明に従う処理方法は一般的な処理装置または例えば建設産業において一般的なドラムミキサー中で行われる。
【００２９】
種子（または植物増殖物質）および種子処理調合物（または植物増殖物質用の処理調合物）を従来から使用されている処理装置の中で密に混合する。
【００３０】
種子（または植物増殖物質）を処理した後に、それを湿潤処理の場合に充分な程度まで乾燥し、そして生じた処理した種子（または植物増殖物質）を次に一部分ずつ包装する。
【００３１】
本発明に従い処理した種子または植物増殖物質を適用する時には、１ヘクタールの栽培面積当たり１〜５０００ｋｇの処理した種子（または植物増殖物質）、好ましくは１ヘクタールの栽培面積当たり１００〜３００ｋｇの処理した種子（または植物増殖物質）が一般的に使用される。
【００３２】
驚くべきことに、スピノシン類が全身的な特性を有しそして土壌を介して適用される時には以下でさらに挙げられている動物性有害生物に対して非常に有効であることが見いだされた。
【００３３】
１種もしくはそれ以上の活性化合物を含んでなる粒剤を土壌中または上に適用することが有利である。適する適用例は散布、帯、溝および植え付け穴適用法である。散布適用は処理しようとする面積全体にわたる活性化合物の表面適用およびその後の土壌中への機械的な導入であると理解すべきである。
【００３４】
イネ栽培における種子箱中での使用が特に挙げられる（苗床箱処理）。
【００３５】
スピノシン類またはそれらの塩類を水中に乳化または溶解しそしてこれを植物への灌注用に使用することが特に有利である。
【００３６】
適する適用例は土壌への噴霧、ドレンチング、すなわち植物への活性化合物を含有する溶液の灌注、および滴下灌注、並びに、特に野菜および装飾物の製造における、水耕システムにおける使用である。
【００３７】
スピノシン類を幹を介して、例えば幹注入により適用することもできる。
【００３８】
本発明に従う種子処理は、農業および林業で遭遇する、動物性有害生物、好ましくは節足動物および線虫、特に昆虫および蛛形類を抑制するために適する。それらは通常の感受性および抵抗性の種に対して並びに全てのまたは個々の成長段階に対して有効である。上記の有害生物は以下のものを包含する：
等脚目(Isopoda)から、例えば、オニスカス・アセルス(Ｏniscus  asellus)、オカダンゴムシ(Ａrmadillidium  vulgare)、ポルセリオ・スカバー(Ｐorcellio  scabar)、
倍脚綱(Ｄiplopoda)から、例えば、ブラニウルス・グツトラタス(Ｂlaniulus  guttulatus)、
チロポダ目(Ｃhilopoda)から、例えば、ゲオフイルス・カルポフアグス(Ｇeophilus  carpohagus)、スカチゲラ種(Ｓcutigera  spp.)、
シムフイラ目(Ｓymphyla)から、例えば、スカチゲレラ・イマキユラタ(Ｓcutigerella  immaculata)、
シミ目(Ｔhysanura)から、例えば、レプシマ・サツカリナ(Ｌepisma  saccharina)、
トビムシ目(Ｃollembola)から、例えば、オニチウルス・アルマツス(Ｏnychiurus  armatus)、
直翅目(Ｏrthoptera)から、例えば、ブラツタ・オリエンタリス(Ｂlatta  orientalis)、ワモンゴキブリ(Ｐeriplaneta  americana)、ロイコフアエ・マデラエ(Ｌeucophaea  maderae)、チヤバネ・ゴキブリ(Ｂlattella  germanica)、アチータ・ドメスチクス(Ａcheta  domesticus)、ケラ種(Ｇryllotalpa  spp.)、トノサマバツタ(Ｌocusta  migratoria  migratorioides)、メラノプルス・ジフエレンチアリス(Ｍelanoplus  differentialis)、シストセルカ・グレガリア(Ｓchistocerca  gregaria)、
ハサミムシ目(Ｄermaptere)から、例えば、ホルフイキユラ・アウリクラリア(Ｆorficula  auricularia)、
シロアリ目(Isoptera)から、例えば、レチキユリテルメス種(Ｒeticulitermes  spp.)、
シラミ目(Ａnoplura)から、例えば、フイロクセラ・バスタリクス(Ｐhylloxera  vastatrix)、ペンフイグス種(Ｐemphigus  spp.)、ヒトジラミ(Ｐediculus  humanus  corporis)、ケモノジラミ種(Ｈaematopinus  spp.)、ケモノホソジラミ種(Ｌinognathus  spp.)、
ハジラミ目(Ｍallophaga)から、例えば、ケモノハジラミ種(Ｔrichodectes  spp.)、ダマリネア種(Ｄamalinea  spp.)、
アザミウマ目(Ｔhysanoptera)から、例えば、フランクリニエラ・オクシデンタリス(Ｆrankliniella  occidentalis)、クリバネアザミウマ(Ｈercinothrips  femoralis)、スリップス・パルミ(Ｔhrips  palmi)、ネギアザミウマ(Ｔhrips  tabaci)、
半翅目(Ｈeteroptera)から、例えば、チヤイロカメムシ種(Ｅurygaster  spp.)、ジスデルクス・インテルメジウス(Ｄysdercus  intermedius)、ピエスマ・クワドラタ(Ｐiesma  quadrata)、ナンキンムシ(Ｃimex  lectularius)、ロドニウス・プロリクス(Ｒhodnius  prolixus)、トリアトマ種(Ｔriatoma  spp.)、
同翅目(Ｈomoptera)から、例えば、アレウロデス・ブラシカエ(Ａleurodes  brassicae)、ワタコナジラミ(Ｂemisia  tabaci)、トリアレウロデス・バポラリオルム(Ｔrialeurodes  vaporariorum)、ワタアブラムシ(Ａphis  gossypii)、ダイコンアブラムシ(Ｂrevicoryne  brassicae)、クリプトミズス・リビス(Ｃryptomyzus  ribis)、アフィス・フアバエ(Ａphis  fabae)、ドラリス・ポミ(Ｄoralis  pomi)、リンゴワタムシ(Ｅriosoma  lanigerum)、モモコフキアブラムシ(Ｈyalopterus  arundinis)、ムギヒゲナガアブラムシ(Ｍacrosiphum  avenae)、コブアブラムシ種(Ｍyzus  spp.)、ホツプイボアブラムシ(Ｐhorodon  humuli)、ムギクビレアブラムシ(Ｒhopalosiphum  padi)、ヒメヨコバイ種(Ｅmpoasca  spp.)、ユースセリス・ビロバツス(Ｅuscelis  bilobatus)、ツマグロヨコバイ(Ｎephotettix  cincticeps)、ミズキカタカイガラムシ(Ｌecanium  corni)、オリーブカタカイガラムシ(Ｓaissetia  oleae)、ヒメトビウンカ(Ｌaodelphax  striatellus)、トビイロウンカ(Ｎilaparvata  lugens)、アカマルカイガラムシ(Ａonidiella  aurantii)、シロマルカイガラムシ(Ａspidiotus  hederae)、シユードコツカス種(Ｐseudococcus  spp.)、キジラミ種(Ｐsylla  spp.)、
鱗翅目(Ｌepidoptera)から、例えば、ワタアカミムシ(Ｐectinophora  gossypiella)、ブパルス・ピニアリウス(Ｂupalus  piniarius)、ケイマトビア・ブルマタ(Ｃheimatobia  brumata)、リソコレチス・ブランカルデラ(Ｌithocolletis  blancardella)、ヒポノミユウタ・パデラ(Ｈyponomeuta  padella)、コナガ(Ｐlutella  maculipennis)、ウメケムシ(Ｍalacosoma  neustria)、クワノキンムケシ(Ｅuproctis  chrysorrhoea)、マイマイガ種(Ｌymantria  spp.)、ブツカラトリツクス・スルベリエラ(Ｂucculatrix  thurberiella)、ミカンハモグリガ(Ｐhyllocnistis  citrella)、ヤガ種(Ａgrotis  spp.)、ユークソア種(Ｅuxoa  spp.)、フエルチア種(Ｆeltia  spp.)、エアリアス・インスラナ(Ｅarias  insulana)、ヘリオチス種(Ｈeliothis  spp.)、ヒロイチモジヨトウ(Ｌaphygma  exigua)、ヨトウムシ(Ｍamestra  brassicae)、パノリス・フラメア(Ｐanolis  flammea)、ハスモンヨトウ(Ｐrodenia  litura)、シロナヨトウ種(Ｓpodoptera  spp.)、トリコプルシア・ニ(Ｔrichoplusia  ni)、カルポカプサ・ポモネラ(Ｃarpocapsa  pomonella)、アオムシ種(Ｐieris  spp.)、ニカメイチユウ種(Ｃhilo  spp.)、アワノメイガ(Ｐyrausta  nubilalis)、スジコナマダラメイガ(Ｅphestia  kuehniella)、ハチミツガ(Ｇalleria  mellonella)、テイネオラ・ビセリエラ(Ｔineola  bisselliella)、テイネア・ペリオネラ(Ｔinea  pellionella)、ホフマノフイラ・シユードスプレテラ(Ｈofmannophila  pseudospretella)、カコエシア・ポダナ(Ｃacoecia  podana)、カプア・レチクラナ(Ｃapua  reticulana)、クリストネウラ・フミフエラナ(Ｃhoristoneura  fumiferana)、クリシア・アンビグエラ(Ｃlysia  ambiguella)、チヤハマキ(Ｈomona  magnanima)、トルトリクス・ビリダナ(Ｔortrix  viridana)、ナファロセルス種(Ｃnaphalocerus  spp.)、
鞘翅目(Ｃoleoptera)から、例えば、アノビウム・プンクタツム(Ａnobium  punctatum)、コナナガシンクイムシ(Ｒhizopertha  dominica)、ブルキジウス・オブテクツス(Ａcanthoscelides  obtectus)、インゲンマメゾウムシ(Ａcanthoscelides  obtectus)、ヒロトルペス・バジユルス(Ｈylotrupes  bajulus)、アゲラスチカ・アルニ(Ａgelastica  alni)、レプチノタルサ・デセムリネアタ(Ｌeptinotarsa  decemlineata)、フェドン・コクレアリアエ(Ｐhaedon  cochleariae)、ジアブロチカ種(Ｄiabrotica  spp.)、プシリオデス・クリソセフアラ(Ｐsylliodes  chrysocephala)、ニジユウヤホシテントウ(Ｅpilachna  varivestis)、アトマリア種(Ａtomaria  spp.)、ノコギリヒラタムシ(Ｏryzaephilus  surinamensis)、ハナゾウムシ種(Ａnthonomus  spp.)、コクゾウムシ種(Ｓitophilus  spp.)、オチオリンクス・スルカツス(Ｏtiorrhychus  sulcatus)、バシヨウゾウムシ(Ｃosmopolites  sordidus)、シユートリンクス・アシミリス(Ｃeuthorrhynchus  assimillis)、ヒペラ・ポスチカ(Ｈypera  postica)、カツオブシムシ種(Ｄermestes  spp.)、トロゴデルマ種(Ｔrogoderma  spp.)、アントレヌス種(Ａnthrenus spp.)、アタゲヌス種(Ａttagenus  spp.)、ヒラタキクイムシ種(Ｌyctus  spp.)、メリゲテス・アエネウス(Ｍeligethes  aeneus)、ヒヨウホンムシ種(Ｐtinus  spp.)、ニプツス・ホロレウカス(Ｎiptus  hololeucus)、セマルヒヨウホンムシ(Ｇibbium  psylloides)、コクヌストモドキ種(Ｔribolium  spp.)、チヤイロコメノゴミムシダマシ(Ｔenebrio  molitor)、コメツキムシ種(Ａgriotes  spp.)、コノデルス種(Ｃonoderus spp.)、メロロンサ・メロロンサ(Ｍelolontha  melolontha)、アムフイマロン・ソルスチチアリス (Ａmphimallon  solstitialis)、コステリトラ・ゼアランジカ(Ｃostelytra  zealandica)、オーレマ・オリザエ(Ｏulema  oryzae)、リッソロープツルス・オリゾフィルス(Ｌissorhoptrus  oryzophilus)、
膜翅目(Ｈymenoptera)から、例えば、マツハバチ種(Ｄiprion  spp.)、ホプロカムパ種(Ｈoplocampa  spp.)、ラシウス種(Ｌasius  spp.)、イエヒメアリ(Ｍonomorium  pharaonis)、スズメバチ種(Ｖespa  spp.)、
双翅目(Ｄiptera)から、例えば、ヤブカ種(Ａedes  spp.)、ハマダラカ種(Ａnopheles  spp.)、イエカ種(Ｃulex  spp.)、キイロシヨウジヨウバエ(Ｄrosophila  melanogaster)、イエバエ種(Ｍusca  spp.)、ヒメイエバエ種(Ｆannia  spp.)、クロバエ・エリスロセフアラ(Ｃalliphoro  erythrocephala)、キンバエ種(Ｌucilia  spp.)、オビキンバエ種(Ｃhrysomyia  spp.)、クテレブラ種(Ｃuterebra  spp.)、ウマバエ種(Ｇastrophilus  spp.)、ヒツポボスカ種(Ｈyppobosca  spp.)、リリオミザ種(Ｌiriomyza  spp.)、サシバエ種(Ｓtomoxys  spp.)、ヒツジバエ種(Ｏestrus  spp.)、ウシバエ種(Ｈypoderma  spp.)、アブ種(Ｔabanus  spp.)、タニア種(Ｔannia  spp.)、ケバエ(Ｂibio  hortulanus)、オスシネラ・フリト(Ｏscinella  frit)、クロキンバエ種(Ｐhorbia  spp.)、アカザモグリハナバエ(Ｐegomyia  hyoscyami)、セラチチス・キヤピタータ(Ｃeratitis  capitata)、ミバエオレアエ(Ｄacus  oleae)、ガガンボ・パルドーサ(Ｔipula  paludosa)、
ノミ目(Ｓiphonaptera)から、例えば、ケオプスネズミノミ(Ｘenopsylla cheopis)、ナガノミ種(Ｃeratopyllus  spp.)、
蜘形網(Ａrachnida)から、例えば、スコルピオ・マウルス(Ｓcorpio  maurus)、ラトロデクタス・マクタンス(Ｌatrodectus mactans)、
ダニ目(Ａcarina)から、例えば、アシブトコナダニ(Ａcarus  siro)、ヒメダニ種(Ａrgas  spp.)、カズキダニ種(Ｏrnithodoros  spp.)、ワクモ(Ｄermanyssus  gallinae)、エリオフイエス・リビス(Ｅriophyes  ribis)、ミカンサビダニ(Ｐhyllocoptruta  oleivora)、オウシマダニ種(Ｂoophilus  spp.)、コイタマダニ種(Ｒhipicephalus  spp.)、アンブリオマ種(Ａmblyomma  spp.)、イボマダニ種(Ｈyalomma  spp.)、マダニ種(Ｉxodes  spp.)、キユウセンヒゼンダニ種(Ｐsoroptes  spp.)、シヨクヒヒゼンダニ種(Ｃhorioptes  spp.)、ヒゼンダニ種(Ｓarcoptes  spp.)、ホコリダニ種(Ｔarsonemus  spp.)、クローバハダニ(Ｂryobia  praetiosa)、ミカンリンゴハダニ種(Ｐanonychus  spp.)、ナミハダニ種(Ｔetranychus  spp.)。
【００３９】
土壌適用では、スピノシン類は上記の有害生物に対する有効な殺昆虫活性により特徴づけられる。
【００４０】
本発明に従う処理により好ましくは調節できる昆虫は下記の目のものである：土壌−棲息昆虫：双翅目（例えばフリット−フライ(frit-fly)、小麦球根のハエ(wheat-bulb fly)）、鞘翅目（例えばジアブロチカ(Ｄiabrotica)（ワイヤー・ウォーム(wire worm)）、鱗翅目（ダート・モス(dart moth)）、ブラットフテロイデア(Ｂlattophtheroidea)、ミリオポダ(Ｍyriopoda)。
葉の昆虫：アフィジナ(Ａphidina)、鞘翅目、ハエ亜目(Ｂrachycera)、鱗翅目、同翅目、チサノプテラ(Ｔysanoptera)、アレウロジナ(Ａleurodina)、シカジナ(Ｃicadina)、アカシ(Ａcasi)、コッシナ(Ｃossina)、半翅目。
実施例
実施例１
殺昆虫種子処理用の２０％強度ＷＳ調合物の製造
「ＷＳ」は「スラリー種子処理用の水−分散性粉末」を意味しそして種子処理用の調合物タイプを示す。
組成：担体物質（０−調合物）
２.０％のブリリアント・ポンセアー・レッド(Brilliant Ponceau Red)Ｅ ＲＣ ７０
２.０％のヘリオ・ファスト・ルビー(Helio Fast Ruby)４Ｂ １０
５.０％のベイカノール(Baykanol)ＳＬ
４.０％のウルトラシル(Ultrasil)ＶＮ３粉末
１.５％のエマルゲーター(Emulgator)１０００ＴＲ Ｕ、粉砕
０.８％のベイシロン−エントシャウメル(Baysilone-Entschaeumer)Ｅ ＶＭ ３０８４.７％のカオリン(Kaolin)Ｗ
工程：１ｇの２０％濃度ＷＳ調合物を製造する。
【００４１】
φ６.５ｃｍの瑪瑙乳鉢中に２００ｍｇの活性化合物を秤量し、材料の物理的状態によって、適当な溶媒（アセトン(ACETONE)）を加え、溶解しそして８００ｍｇの０−調合物と一緒に乾燥する。約１〜２分後に、製品を乳鉢中で完全に乾くまで粉砕しそして製品瓶の中に包装する。
実施例２
限界濃度／土壌−作用性殺昆虫剤
試験昆虫：ジアブロチカ・バルテアタ(Ｄiabrotica  balteata)
試験植物：ゼア・メイズ（Ｚea  mays）（粒トウモロコシ）
投与量：４ｇのａｉ／ｋｇ→２００ｍｇ（２０％濃度ＷＳ／１０ｇの種子）
２ｇのａｉ／ｋｇ→１００ｍｇ（２０％濃度ＷＳ／１０ｇの種子）
１ｇのａｉ／ｋｇ→  ５０ｍｇ（２０％濃度ＷＳ／１０ｇの種子）
方法：特定量の上記のＷＳ調合物を番号が付いた丸い容器（タイプ４１、９０ｍｌ）中に秤量しそして２００、１００または８０μｌの水で分散させる。１０ｇのトウモロコシ種子を加える。トウモロコシを約１〜２分間にわたり試験管シェーカー上で設定７において廃棄可能なスパチュラを用いて処理する。
【００４２】
トウモロコシを３００ｍｌのＢＩ−土壌（標準化された植え付け基質、砂状ローム）が充填された番号が付いたパラフィン−処理したボール紙容器（タイプ５００、０.５ｌ、高さ８３ｍｍ、頂部におけるφ１１０ｍｍ）中に播種する。土壌にスタンプ（φ１０ｃｍ）を充填し、ローズを備えたフラスコを用いて３０ｍｌの水を注ぎ、５個のトウモロコシ穀粒を加え、製品を充填し、１００ｍｌのＢＩ土壌で満たしそしてガラス蓋で覆う（１回の反復）。
【００４３】
３日後に、約４０匹の幼虫（Ｌ２齢）を各容器中で計数して加える。トウモロコシ種子の発芽力を評価するために試験動物を含む未処理の対照および試験動物を含まないもの（対照）も含まれる。
【００４４】
さらに７日後に、効果を％で測定する。全てのトウモロコシ植物が発芽した場合には効果は１００％である。
【００４５】
場所の温度：２０℃
スピノサドは上記の条件下で良好な殺昆虫活性を示した。
実施例３
限界濃度／作用の持続期間／根−全身性
試験昆虫：スポドプテラ・フルギペルダ(Ｓpodoptera  frugiperda)
試験植物：ゼア・メイズ(Ｚea  mays)（粒トウモロコシ）
投与量：４ｇのａｉ／ｋｇ→２００ｍｇ（２０％濃度ＷＳ／１０ｇの種子）
２ｇのａｉ／ｋｇ→１００ｍｇ（２０％濃度ＷＳ／１０ｇの種子）
１ｇのａｉ／ｋｇ→  ５０ｍｇ（２０％濃度ＷＳ／１０ｇの種子）
方法：特定量の上記のＷＳ調合物を番号が付いた丸い容器（タイプ４１、９０ｍｌ）中に重量測定しそして２００、１００または８０μｌの水で分散させる。１０ｇのトウモロコシ種子を加える。トウモロコシを約１−２分間にわたり試験管シェーカー上で設定７において廃棄可能なスパチュラを用いて処理する。
【００４６】
トウモロコシの穀粒をＢＩ−土壌が充填された番号が付いた丸い容器（φ１１ｃｍ）中に播種する。容器当たり２個の種子穴を作成し、１個の種子穴当たり１個のトウモロコシの穀粒を加え、覆いそしてスタンプ（φ１０ｃｍ）を充填した（１回の反復）。次に浸しそしてフィルムで覆う。
【００４７】
１４、２１、２８および３５日後に、葉材料を植物から試験目的のために切り取りそして準備されたペトリ皿（グレイナー(Greiner)、φ９ｃｍ）の中に入れる。皿には予め番号が付けられておりそして（１.３ｍｌの水で）湿らせた円形濾紙（Ｓ＋Ｓ円形フィルター；φ８ｃｍ；参照番号３３０ ０３５）が備えられていた（１回の反復）。
【００４８】
次に６匹のスポドプテラ幼虫（Ｌ２齢）をトウモロコシの葉を含有するペトリ皿の中に計数して加える。
【００４９】
感染から５〜６日後に、各場合において対照および飼育特徴を参照しながら効果を％で測定する。
【００５０】
場所の温度：２０℃
スピノサドは上記の条件下で良好な殺昆虫活性を示した。
実施例４
作用の持続期間／根−全身性
試験昆虫：フェドン・コクレアリアエ(Ｐhedon  cochleariae)（幼虫）
試験植物：ブラシカ・オレラセア(Ｂrassica  oleracea)（キャベツ）
投与量：２.０ｇのａｉ／ｋｇ→２０ｍｇ（２０％濃度ＷＳ／２ｇの種子）
１.０ｇのａｉ／ｋｇ→１０ｍｇ（２０％濃度ＷＳ／２ｇの種子）
０.５ｇのａｉ／ｋｇ→  ５０ｍｇ（２０％濃度ＷＳ／２ｇの種子）
方法：特定量の上記のＷＳ調合物を番号が付いた丸い容器（タイプ４１、９０ｍｌ）中に重量測定しそして８０μｌの水で分散させる。２ｇのキャベツの種子を加える。キャベツの種子を約１〜２分間にわたり試験管シェーカー上で設定７において廃棄可能なスパチュラを用いて処理する。
【００５１】
キャベツをＢＩ土壌が充填された番号が付いた丸い容器（φ１１ｃｍ）中に播種する。種子溝を作成しそして容器の中央に約３ｃｍにわたり約６個の種子を入れ、種子溝を閉じ、スタンプ（φ１０ｃｍ）を充填した（７回の反復）。次に浸しそしてフィルムで覆う。
【００５２】
キャベツ植物が発芽した後に、ドリル−ジグスリーブ（長さ２０ｃｍ、φ５ｃｍ）を容器上に置き、上端部をタルク（約２ｃｍ）で処理した。
【００５３】
約１０匹のフェドン幼虫をドリル−ジグスリーブ中に７、１４、２１および２８日の間隔で計数して加え、１週間毎に１濃度当たり２個の容器だけに感染させる。
【００５４】
各場合とも３〜４週間後に、飼育特徴を参照しながら効果を％で測定する。
【００５５】
場所の温度：２０℃
スピノサドは上記の条件下で良好な殺昆虫活性を示した。
実施例５
作用の持続期間／土壌に棲息する昆虫
試験昆虫：ヒレミイア・アンティクア(Ｈylemyia  antiqua)
試験植物：アリウム・セパ(Ａllium  cepa)（タマネギ）
投与量：２.０ｇのａｉ／ｋｇ→２０ｍｇ（２０％濃度ＷＳ／２ｇの種子）
１.０ｇのａｉ／ｋｇ→１０ｍｇ（２０％濃度ＷＳ／２ｇの種子）
０.５ｇのａｉ／ｋｇ→  ５０ｍｇ（２０％濃度ＷＳ／２ｇの種子）
方法：特定量の上記のＷＳ調合物を番号が付いた丸い容器（タイプ４１、９０ｍｌ）中に秤量しそして８０μｌの水で分散させる。２ｇのタマネギの種子を加える。タマネギの種子を約１〜２分間にわたり試験管シェーカー上で設定７において廃棄可能なスパチュラを用いて処理する。
【００５６】
タマネギをＢＩ土壌が充填された番号が付いた丸い容器（φ１１ｃｍ）中に播種する。種子溝を作成しそして約３０個の種子をその中に入れ、充填しそして種子溝を閉じた（３回の反復）。次に浸しそしてフィルムで覆う。
【００５７】
３および５週間後に、タマネギ植物にそれらの基部でヒレミイアの卵を中空スパチュラを用いて感染させる（土壌表面を予めばらしておく）。
【００５８】
各場合とも１０日後に、効果を％で測定する。植物が被害を受けなかった時には効果は１００％である。
【００５９】
場所の温度：２０℃
スピノサドは上記の条件下で良好な殺昆虫活性を示した。
実施例６
限界濃度−スポドプテラ・フルギペルダ（Ｓpodoptera frugiperda）に対する根−全身的活性
物質および技術的データ
プラスチック容器（２５０ｍｌ）
約１２％の水分を含むＢＩ−土壌
クレフト(Krefft)ミキサー
予備発芽させたトウモロコシ（約３日目）
透明なプラスチック管、直径５ｃｍ／高さ５０ｃｍ
スポドプテラ・フルギペルダ幼虫（Ｌ２−３齢）
２回の反復
目的：
試験調合物の土壌中の限定濃度を測定すること。
方法：
研究室用調合物の製造：
適用割合に相当する量の活性化合物を５ｍｌのアセトン＋エマルゲーター(Emulgator)ＰＳ１６（４：１）の中に溶解しそして水で希釈して０.２％濃度原料溶液にする。
実験設定：
プラスチック容器にＢＩ土壌を充填する。適量の活性化合物溶液を引き続き土壌中にピペットで入れる。活性化合物および土壌をクレフトミキサー中で最高速度で１０秒間混合する。土壌を次に容器中に充填しそして３本の予備発芽させたトウモロコシ植物を底に置く。
【００６０】
容器を２０℃および７０％の相対大気湿度の温室中に入れる。トウモロコシ植物が約５ｃｍの高さに達した時に、透明なプラスチック管を植物上に置きそして土壌表面中に押す。実験から１週間経った時点で、１容器当たり７匹のスポドプテラ・フルギペルダ幼虫を加える。
評価：
各場合とも感染から７日後に、対照および飼育性質を参照しながら効果を％アボット(Abbott)で測定する。
【００６１】
スピノサドは上記の条件下で良好な殺昆虫活性を示した。
実施例７
限界濃度−プルテラ・キシロステラ(Ｐlutella xylostella)ＮＳに対する根−全身的活性
物質および技術的データ
プラスチック容器（２５０ｍｌ）
約１２％の水分を含むＢＩ−土壌
クレフトミキサー
サボイ・キャベツ植物、約３週間目
プルテラ・キシロステラＮＳ幼虫（２−３齢）
２回の反復
目的：
試験調合物の土壌中の限定濃度を測定すること。
方法：
研究室用調合物の製造：
適用割合に相当する量の活性化合物を５ｍｌのアセトン＋エマルゲーターＰＳ１６（４：１）の中に溶解しそして水で希釈して０.２％濃度原料溶液にする。実験設定：
プラスチック容器にＢＩ土壌を充填する。適量の活性化合物溶液を引き続き土壌中にピペットで入れる。活性化合物および土壌をクレフトミキサー中で最高速度で１０秒間混合する。土壌を次に容器中に充填しそしてキャベツ植物を植える。
【００６２】
容器を２０℃および７０％の相対大気湿度の温室中に入れる。実験から１週間が経った時点で、試験植物にプルテラ・キシロステラ幼虫を感染させる。このためには、１０匹の幼虫を動物ケージ中に入れそして若い葉の上にクリップでとめる。
評価：
各場合とも感染から３日後に、対照および飼育性質を参照しながら効果を％アボット（％ Abbott)で測定する。
【００６３】
スピノサドは上記の条件下で良好な殺昆虫活性を示した。
実施例８
限界濃度−フェドン・コクレアリアエ（Ｐhedon cochleariae）幼虫に対する根−全身的活性
物質および技術的データ
プラスチック容器（２５０ｍｌ）
約１２％の水分を含むＢＩ−土壌
クレフトミキサー
サボイ・キャベツ植物、約３週間目
フェドン・コクレアリアエ幼虫（２−３齢）
２回の反復
目的：
試験調合物の土壌中の限定濃度を測定すること。
方法：
研究室用調合物の製造：
適用割合に相当する量の活性化合物を５ｍｌのアセトン＋エマルゲーターＰＳ１６（４：１）の中に溶解しそして水で希釈して０.２％濃度原料溶液にする。実験設定：
プラスチック容器にＢＩ土壌を充填する。適量の活性化合物溶液を引き続き土壌中にピペットで入れる。活性化合物および土壌をクレフトミキサー中で最高速度で１０秒間混合する。土壌を次に容器中に充填し、そしてキャベツ植物を植える。
【００６４】
容器を２０℃および７０％の相対大気湿度の温室中に入れる。実験から１週間が経った時点で、試験植物にフェドン・コクレアリアエ幼虫を感染させる。このためには、１０匹の幼虫を動物ケージ中に入れそして若い葉の上にクリップでとめる。
評価：
各場合とも感染から３日後に、対照および飼育性質を参照しながら効果を％アボットで測定する。
【００６５】
スピノサドは上記の条件下で良好な殺昆虫活性を示した。